(57)【要約】【課題】高耐圧部品を必要とせず、フィードバックへの絶縁距離が省スペースでよく、トランスサイズも大きくならないようにし、低コスト・省スペースを実現する。【解決手段】昇圧トランスＴ１は、二次側巻線Ｓ１を、高圧出力を得る高圧巻線Ｓ１Ｈと低圧出力を得る検出巻線Ｓ１Ｌとに分割し、この検出巻線Ｓ１Ｌに発生する低圧電圧により異常検出用低圧出力を得る。放電灯点灯回路は、発振回路１からの発振出力を昇圧トランスＴ１の一次側巻線Ｐ１に入力し、この昇圧トランスの二次側巻線Ｓ１の高圧巻線Ｓ１Ｈから高圧出力を出力し、昇圧トランスＴ１の高圧出力により放電灯Ｚ１を点灯させる際に、制御回路２は、昇圧トランスＴ１の二次側巻線Ｓ１の検出巻線Ｓ１Ｌからの異常検出用低圧出力により発振回路１を制御する。【選択図】図１
2007141752.tif 000002
【特許請求の範囲】
【請求項１】
二次側巻線に高圧出力を得る高圧巻線を有する昇圧トランスにおいて、前記二次側巻線を分割して低圧出力を得る検出巻線を有し、この検出巻線の低圧出力により異常検出を行うようにしたことを特徴とする昇圧トランス。
【請求項２】
所定周波数の発振電圧を一次側巻線に入力し出力側の二次側巻線をから高圧出力を得る高圧巻線を有する昇圧トランスにおいて、前記二次側巻線を分割して低圧出力を得る検出巻線を有し、この検出巻線の低圧出力により異常検出を行うことを特徴とする昇圧トランス。
【請求項３】
前記二次側巻線の検出巻線数が、前記二次側巻線の高圧巻線数の数十分の一〜数百分の一とする請求項１または２記載の昇圧トランス。
【請求項４】
前記二次側巻線の高圧巻線の出力が数百Ｖから数千Ｖであり、前記検出巻線の出力が数十Ｖ以下である請求項３記載の高圧トランス。
【請求項５】
発振回路の発振出力を一次側巻線に入力しその二次側巻線の高圧巻線から高圧出力を出力する昇圧トランスを備え、前記昇圧トランスの二次側巻線の高圧出力により放電灯を点灯させると共に、制御回路により高圧回路の異常を抑制するように前記発振回路を制御する放電灯点灯回路において、
前記昇圧トランスが、前記二次側巻線を分割して低圧出力を得る検出巻線を有し、この検出巻線の低圧出力により異常検出を行うと共に、前記制御回路が、前記検出巻線の低圧出力により前記発振回路を制御することを特徴とする放電灯点灯回路。
【請求項６】
前記制御回路は、前記発振回路の発振動作を停止させる、その発振動作を間欠的に行う、その発振動作レベルを低下させる、または前記発振周波数を高くして微弱共振作用を行うように制御する請求項５記載の放電灯点灯回路。
【請求項７】
前記高圧回路が、前記昇圧トランス、放電灯、または出力コネクタ、ハーネスを含むトランス二次側部品による回路である請求項５または６記載の放電灯点灯回路。
【請求項８】
請求項５，６または７記載の放電灯点灯回路における昇圧トランスの高圧巻線出力に放電灯を接続して前記放電灯を点灯させるようにしたことを特徴とする放電灯装置。
【請求項９】
発振回路の所定発振出力を昇圧トランスの一次側巻線に入力し、この昇圧トランスの二次側巻線の高圧巻線から高圧出力により放電灯を点灯させると共に、制御回路により高圧回路の異常を抑制するよう前記発振回路を制御する放電灯点灯方法において、
前記昇圧トランスは、前記二次側巻線を分割して低圧出力を得る検出巻線から異常検出用出力を得ると共に、前記制御回路は、前記検出巻線の低圧出力により前記発振回路を制御することを特徴とする放電灯点灯方法。
【請求項１０】
前記制御回路は、前記発振回路の発振動作を停止させる、その発振動作を間欠的に行う、その発振動作レベルを低下させる、または前記発振周波数を高くして微弱共振作用を行うように制御する請求項９記載の放電灯点灯方法。
【発明の詳細な説明】
【技術分野】
【０００１】
本発明は、高圧トランス、放電灯点灯回路、放電灯装置および放電灯点灯方法に関し、特に放電灯の異常動作を防止する高圧トランス、放電灯点灯回路、放電灯装置および放電灯点灯方法に関する。
【背景技術】
【０００２】
一般に、放電灯は、放電灯点灯回路から供給される高圧電圧により点灯される。ここでは、放電灯を放電灯点灯回路に接続したものを、放電灯装置という。希ガスを封入した放電灯は、放電ランプの種類やランプ長等が異なる事により、ランプ点灯電圧および放電開始電圧が異なっている。従って、放電灯点灯回路の出力電圧は、放電ランプによって異なる。
【０００３】
例えば、液晶バックライト等に使用される冷陰極ランプでは、小型モニター用ランプのランプ電圧が約５００Ｖ、その点灯開始電圧が約８００Ｖである。また、大型テレビ用ランプのランプ電圧が約１５００Ｖ、その点灯開始電圧が約２０００Ｖとなっている。
【０００４】
一般的な放電灯点灯回路は、数十ＫＨｚから数百ＫＨｚの発振周波数の出力を、昇圧トランスにより昇圧して放電灯に供給して放電灯を点灯している。この放電灯点灯回路の異常または点灯回路高圧部の異常等の検出方法を、図３、図４に示す従来例１の回路図により説明する。図３において、この放電灯点灯回路は、発振回路１、制御回路２および昇圧トランスＴ１ａから構成されている。発振回路１への入力電圧Ｖｉｎは入力コネクタ３から供給され、出力電圧は出力コネクタ４から放電灯Ｚ１に供給される。
【０００５】
この発振回路１としては、自励式回路や他励式回路がある。また、その他ランプや点灯効率によりパルス回路等も考えられる。また、制御回路２としては、異常波形を検出した時、その検出電圧をトリガーして、発振回路１を止めたり、間欠発振させて保護動作する回路である。
【０００６】
発振回路１に入力電圧Ｖｉｎが供給されると、発振回路１が発振し、発振回路１の発振出力は昇圧トランスＴ１ａの一次側巻き線に供給される。昇圧トランスＴ１ａの二次側巻き線からは、その巻き線比に従って昇圧された昇圧出力が得られる。この昇圧出力は、出力コネクタ１２から放電灯Ｚ１に供給され、放電灯Ｚ１を点灯する。
【０００７】
この場合、高圧部の異常等の検出は、図３に示すように、昇圧トランスＴ１ａの二次巻き線に直列接続したコンデンサＣ１、Ｃ２の分圧回路により検出している。昇圧トランスＴ１ａの高圧電圧は、コンデンサＣ１、Ｃ２の容量比により分圧され、この分圧出力は放電制御回路２にフィードバックされる。この分圧出力で放電制御回路２が異常を検知すると、発振回路１を制御し、放電の停止、放電電圧の低下、間欠動作等の保護回路を動作させる。このコンデンサＣ１、Ｃ２は、高圧回路に用いられるので、高耐圧コンデンサである必要がある。
【０００８】
また、図４に示す回路では、図３と殆ど同様であるが、高圧部の異常等の検出を、昇圧トランスＴ１ａの二次側巻き線に直列接続した抵抗Ｒ１、Ｒ２の分圧回路により検出する点が相違している。この回路も、抵抗Ｒ１、Ｒ２により分圧した分圧電圧を放電制御回路２にフィードバックして異常を検知し、放電の停止もしくは放電電圧の低下、間欠動作等の保護回路を動作させる。この抵抗Ｒ１、Ｒ２も、高圧回路に用いられるので、高耐圧抵抗である必要がある。
【０００９】
一般に、放電灯点灯回路は、特に照明、液晶バックライト、スキャナ等のＯＡ機器の光源点灯回路として用いられる。このような用途では、機器の安全が求められ保護回路も多種多様に必要になっている。特に、高電圧が発生することもあり、放電灯の異常や昇圧トランス以降の高圧部の異常、点灯回路と放電灯を接続するコネクタ・ハーネスに異常がある場合、感電等の危険性があるため、ほとんどの機器にて高電圧に対する保護回路を搭載している。従来の保護回路に使用している高耐圧部品はコストが高く、また高電圧であることから絶縁距離の確保が困難であるといった問題があった。
【００１０】
また、従来の他の放電灯点灯装置として、特許文献１に記載された回路（従来例２）がある。この放電灯点灯装置の回路を図５のブロック図に示す。この放電灯点灯装置においては、商用電源ＡＣが整流回路１１に接続され、整流回路１１の整流出力は直流電源回路１２によって、任意の直流出力に変換される。インバータ回路１３は、インバータ制御回路１４からの信号によって任意の周波数で発振動作を行い、直流電源回路１２の直流出力を交流に変換して負荷回路１５に出力する。
【００１１】
負荷回路１５は、インダクタンスＬ１とコンデンサＣ１１との直列共振回路、コンデンサＣ１１に並列に接続された昇圧トランスＴ２の１次巻線Ｎ１とコンデンサＣ１２との直列回路、昇圧トランスＴ２の２次巻線Ｎ２と放電灯Ｚ２との並列回路、および昇圧トランスＴ２の３次巻線Ｎ３から構成される。インバータ回路１３の交流出力を供給された負荷回路１５は、インダクタンスＬ１とコンデンサＣ１１との共振作用でコンデンサＣ１１の両端に高電圧が発生する。これによって、昇圧トランスＴ２の１次巻線Ｎ１から２次巻線Ｎ２に誘起された高電圧が放電灯Ｚ２に印加されて、放電灯Ｚ２は点灯始動する。
【００１２】
放電灯Ｚ２が点灯した後、インバータ制御回路１４がインバ−タ回路１３の発振動作を所定の発振周波数に制御することによって、任意の放電灯出力を得ることができる。
【００１３】
コンデンサＣ１２は、放電灯Ｚ２が点灯中の直流カット用コンデンサであり、昇圧トランスＴ２の３次巻線Ｎ３は、放電灯Ｚ２の出力異常の判定動作を行うために検出した放電灯Ｚ２のランプ電圧を検出信号Ｖｌａとして放電灯の異常検出回路１６に出力する。
【００１４】
この異常検出回路１６は、検出信号Ｖｌａによって放電灯Ｚ２の正常異常判定を行い、その判定結果をインバータ制御回路１４に出力し、インバータ制御回路１４はその判定結果に基づいてインバータ回路１３の発振動作を制御する。
【００１５】
放電灯Ｚ２が正常に点灯した場合、インバータ制御回路１４は、放電灯出力が所定値となるようにインバータ回路１３の発振周波数を制御する。
【００１６】
放電灯Ｚ２の寿命末期時には、フィラメントに塗布されたエミッタが消耗し、放電灯Ｚ２は片方向のみに電流が流れる整流作用を行う異常放電となる。以下、この現象をエミレスと呼ぶ。このとき共振系は崩れ、放電灯Ｚ２のランプ電圧は正常放電時に比べて異常上昇する。また、放電灯Ｚ２が点灯動作しているときに、放電灯Ｚ２の内封ガス抜け（スローリーク）等の異常が生じて、放電灯Ｚ２が立ち消えした場合にも、同様に無負荷時の共振カーブに急変し異常上昇する。
【００１７】
次に、異常検出回路１６は、昇圧トランスＴ２の３次巻線Ｎ３から得られる検出信号Ｖｌａは平滑化されて、直流の検出電圧Ｖａとしてコンパレータに入力される。コンパレータは、直流電圧源が出力するしきい値電圧Ｖｒ１と検出電圧Ｖａとを比較する。そして、しきい値電圧Ｖｒ１のほうが大きい場合にはＬレベル信号をインバータ制御回路１４に出力し、検出電圧Ｖａのほうが大きい場合にはＨレベル信号をインバータ制御回路１４に出力する。
【００１８】
ここで、放電灯Ｚ２が正常に点灯している場合には、異常時に比べてランプ電圧は低く、検出信号Ｖｌａの電圧レベルも低い。その結果、検出電圧Ｖａも低く、検出電圧Ｖａがしきい値電圧Ｖｒ１より低くなり、コンパレータはＬレベルの信号をインバータ制御回路１４に出力する。そして、インバータ制御回路１は、Ｌレベルの信号を入力されている間、任意の放電灯出力を得るようにインバ−タ回路１３の発振動作を所定の発振周波数に制御する。
【００１９】
放電灯異常によって放電灯Ｚ２のランプ電圧が上昇すると、それに比して検出信号Ｖｌａの電圧レベルも上昇する。その結果、検出電圧Ｖａも上昇し、検出電圧Ｖａがしきい値電圧Ｖｒ１より大きくなった場合、コンパレータはＨレベルの信号をインバータ制御回路１４に出力する。そして、インバータ制御回路１４は、Ｈレベルの信号を入力されると放電灯異常と判定し、インバータ回路１３の発振動作を保護動作に移行させる。なお、ここで保護動作とは、発振動作を停止させる、発振動作を間欠的に行う、発振周波数をかなり高くして微弱共振作用を行うなどのうち、いずれかの動作である。
【００２０】
そして、従来例２においては、放電灯Ｚ２のランプ電圧が、放電灯異常時しきい値電圧以上になると、インバータ制御回路１４が放電灯異常と判定するように、直流電圧源Ｅ１のしきい値電圧Ｖｒ１の値、および異常検出回路１６の各部品の定数を設定することによって、放電灯Ｚ２の正常異常判定を行う構成となっていた。昇圧トランスＴ２の３次巻線Ｎ３は、放電灯Ｚ２の出力異常の判定動作を行うために検出した放電灯Ｚ２のランプ電圧を検出信号Ｖｌａとして異常検出回路１６に出力する。
【００２１】
【特許文献１】特開２００２−２９９０８４号公報（図１）
【発明の開示】
【発明が解決しようとする課題】
【００２２】
しかし、上述した従来例１の放電灯点灯回路では、その保護回路に使用している高耐圧部品のコストが高く、また高電圧であることから絶縁距離の確保が困難であるといった問題があった。
【００２３】
また、従来例２の放電灯点灯回路では、昇圧トランスＴ２の２次巻線数が第２の巻線と第３の巻線との２巻線となっている点が問題である。すなわち、この昇圧トランスＴ２は、異常検出のために第３の巻線を、第２の巻線と別に設け、この第３の巻線に誘導される電圧から異常を検出している。この場合には、第３の巻線での異常検出となるが、第３の巻線を異常検出に使用するには、第３の巻線と第２の巻線との結合を強くしなければ検出できない。この第３の巻線と第２の巻線との結合を強くすると、第２の巻線と第３の巻線の絶縁をとるための対策が必要となる。例えば、その対策として、絶縁シートや絶縁距離をとることになり、昇圧トランスの大型化に繋がるデメリットとなる。
【００２４】
本発明の目的は、異常検出を簡単化し、高耐圧部品を必要とせず、フィードバックへの絶縁距離を省スペースとし、トランスサイズも変わらないため、低コスト・省スペースの高圧トランス、放電灯点灯回路、放電灯装置および放電灯点灯方法を提供することにある。
【課題を解決するための手段】
【００２５】
本発明の構成は、二次側巻線に高圧出力を得る高圧巻線を有する昇圧トランスにおいて、前記二次側巻線を分割して低圧出力を得る検出巻線を有し、この検出巻線の低圧出力により異常検出を行うようにしたことを特徴とする。
【００２６】
本発明の他の構成は、所定周波数の発振電圧を一次側巻線に入力し出力側の二次側巻線から高圧出力を得る高圧巻線を有する昇圧トランスにおいて、前記二次側巻線を分割して低圧出力を得る検出巻線を有し、この検出巻線の低圧出力により異常検出を行うことを特徴とする。
【００２７】
本発明において、前記二次側巻線の検出巻線数を、前記二次側巻線の高圧巻線数の数十分の一〜数百分の一とすることができ、また、前記二次側巻線の高圧巻線の出力を数百Ｖから数千Ｖとし、前記検出巻線の出力を数十Ｖ以下とすることができる。
【００２８】
本発明のまた他の構成は、発振回路の発振出力を一次側巻線に入力しその二次側巻線の高圧巻線から高圧出力を出力する昇圧トランスを備え、前記昇圧トランスの二次側巻線の高圧出力により放電灯を点灯させると共に、制御回路により高圧回路の異常を抑制するように前記発振回路を制御する放電灯点灯回路において、前記昇圧トランスが、前記二次側巻線を分割して低圧出力を得る検出巻線を有し、この検出巻線の低圧出力により異常検出を行うと共に、前記制御回路が、前記検出巻線の異常検出用低圧出力により前記発振回路を制御することを特徴とする。
【００２９】
本発明において、前記制御回路は、前記発振回路の発振動作を停止させる、その発振動作を間欠的に行う、その発振動作レベルを低下させる、または前記発振周波数を高くして微弱共振作用を行うように制御することができ、また、前記高圧回路を、前記昇圧トランス、放電灯、または出力コネクタ、ハーネスを含むトランス二次側部品による回路とすることができる。
【００３０】
本発明の放電灯装置の構成は、上述した放電灯点灯回路における昇圧トランスの高圧出力に放電灯を接続してこの放電灯を点灯させるようにしたことを特徴とする。
【００３１】
本発明のさらに他の構成は、発振回路の所定発振出力を昇圧トランスの一次側巻線に入力し、この昇圧トランスの二次側巻線の高圧巻線から高圧出力により放電灯を点灯させると共に、制御回路により高圧回路の異常を抑制するよう前記発振回路を制御する放電灯点灯方法において、前記昇圧トランスは、前記二次側巻線を分割して低圧出力を得る検出巻線から異常検出用出力を得ると共に、前記制御回路は、前記検出巻線からの異常検出低圧出力により前記発振回路を制御することを特徴とする。
【００３２】
本発明において、前記制御回路は、前記発振回路の発振動作を停止させる、その発振動作を間欠的に行う、その発振動作レベルを低下させる、または前記発振周波数を高くして微弱共振作用を行うように制御することができる。
【発明の効果】
【００３３】
以上説明したように、本発明によれば、異常時検出回路が簡素化され、高耐圧部品を不要となるという効果がある。さらに、低コスト、省スペース化が図られるという効果も期待できる。
【発明を実施するための最良の形態】
【００３４】
次に図面により本発明の実施形態を説明する。図１は本発明の一実施形態の放電灯点灯回路を説明するブロック図、図２は図１に用いた昇圧トランスを説明する配線図である。
【００３５】
本実施形態においては、図２に示すように、昇圧トランスＴ１は、入力側一次側巻線Ｐ１に対して二次側巻線Ｓ１を有し、また、この二次巻線Ｓ１全体を分割して、高圧出力を得る高圧巻線Ｓ１Ｈと、低圧出力を得る検出巻線Ｓ１Ｌとを有している。そして、この検出巻線Ｓ１Ｌに発生する低圧出力電圧により異常検出を行うことを特徴とする。
【００３６】
また、本実施形態の放電灯点灯回路は、この昇圧トランスＴ１の高圧出力を用いて放電灯Ｚ１を点灯させるための回路である。本実施形態の放電灯装置は、この放電灯点灯回路の高圧出力に放電灯Ｚ１を接続して放電灯Ｚ１を点灯させることを特徴とする。
【００３７】
この放電灯点灯回路は、昇圧トランスＴ１と、この昇圧トランスＴ１の高圧出力に所定周波数の発振出力を出力する発振回路１と、高圧回路の異常を検出し発振回路１を制御する制御回路２とを備える。この放電灯点灯回路は、昇圧トランスＴ１の高圧出力により放電灯Ｚ１を点灯させる。また、制御回路２は、昇圧トランスＴ１の検出巻線Ｓ１Ｌの検出出力端子からの低圧出力により異常を検出し発振回路１を制御する。なお、発振回路１は入力コネクタ３から電源が供給される。また、昇圧トランスＴ１の高圧出力は出力コネクタ４から放電灯Ｚ１に供給され、放電灯Ｚ１を点灯させる。
【００３８】
なお、高圧回路とは、昇圧トランスＴ１、放電灯Ｚ１、または出力コネクタ４、ハーネスを含むトランス二次側部品による回路であり、これら回路の異常電圧が検出巻線Ｓ１Ｌである検出出力端子から検出される。
【００３９】
放電灯点灯回路は、図１に示すように、昇圧トランスＴ１の二次巻線を分割して低圧出力を得る検出巻線Ｓ１Ｌに発生する電圧を、制御回路２にフィードバックする。制御回路２は、高圧回路の異常を検知し、発振回路１を制御する。この制御回路２は、発振回路１の発振動作を停止させる、その発振動作を間欠的に行う、その発振動作レベルを低下させる、または発振周波数を高くして微弱共振作用を行うことにより制御する。この制御により、放電灯Ｚ１の放電の停止もしくは放電電圧の低下、間欠動作等の保護回路動作が可能となる。
【００４０】
このように本実施形態によれば、従来例２のように、誘導電圧を検出する２次巻線を不要とし（２次巻線を２個不要）、放電灯負荷に直接繋がっている２次巻線を分割して検出出力を得ているので、昇圧トランスの空きピンに２次巻線Ｓ１Ｌを繋げるだけの簡単な構成で、異常検出が可能である。従って、昇圧トランスのサイズは変わらない。
【００４１】
また、本実施形態によれば、１）異常時検出回路が簡素化され、２）高耐圧部品を不要となり、３）制御回路へのフィードバックが高圧でないことにより絶縁耐圧距離（空間・沿面距離）の省スペース化（基板サイズの縮小）されるという効果がある。
【実施例１】
【００４２】
本発明の実施例１は図１、図２の構成と同様である。図１に示すように、放電灯点灯回路は、発振回路１、制御回路２、昇圧トランスＴ１および放電灯Ｚ１により構成される。本実施例１において、放電灯Ｚ１の異常、昇圧トランスＴ１以降の高圧部の異常、点灯回路と放電灯を接続するコネクタ・ハーネスに異常がある場合、昇圧トランスＴ１の二次電圧が正常動作時の二次電圧と異なるため、昇圧トランスＴ１の二次電圧により異常検知することができる。
【００４３】
本実施例では、検出巻線Ｓ１Ｌが昇圧トランスＴ１の二次巻線の高圧出力を分割出力しているので、この検出巻線Ｓ１Ｌに生じる電圧が異常時と正常動作時と異なることを利用して異常検知を行うものである。この検出巻線Ｓ１Ｌに発生する電圧は、制御回路２にフィードバックされる。このため、図２における昇圧トランスＴ１の二次巻線の高圧巻線Ｓ１Ｈと検出巻線Ｓ１Ｌの巻き数比は数百：１〜数十：１の比率にて分割巻きとしている。このような巻線比とすることで、二次巻線の高圧巻線Ｓ１Ｈの放電電圧数百Ｖ〜数千Ｖの高圧を、検出巻線Ｓ１Ｌの数十Ｖ以下の低電圧の検出電圧に低下させることが出来る。従って、検出巻線Ｓ１Ｌの回路には、高圧に耐えうる高耐圧部品を使用する必要がなくなる。
【００４４】
この放電灯点灯回路の動作は、次の通りである。放電灯点灯回路の発振回路１にコネクタ３から定常電力を入力すると、発振回路１から昇圧トランスＴ１に発振信号が出力される。昇圧トランスＴ１は、その一次巻線と二次巻線の巻き数比に比例した電圧を二次巻線側に出力する。この放電灯点灯回路では、図２に示すように、二次巻線を分割しているため、放電灯Ｚ１の点灯に必要な放電電圧は二次巻線の高圧巻線Ｓ１Ｈ側に発生させている。
【００４５】
また、放電灯Ｚ１の異常および昇圧トランス以降の高圧部の異常、点灯回路と放電灯を接続するコネクタ・ハーネスに異常がある場合、昇圧トランスＴ１の二次電圧が定常時の二次電圧と異なることになる。従って、二次巻線の検出巻線Ｓ１Ｌに発生する電圧を制御回路２にフィードバックさせることにより、昇圧トランスＴ１が定常の二次電圧であるか否かの識別を行うことができる。
【００４６】
この際、検出巻線Ｓ１Ｌの巻き数を高圧巻線Ｓ１Ｈの巻き線の巻き数に対し数十分の一〜数百分の一にしている。従って、制御回路２のフィードバック段に高耐圧部品を使用する必要がなくなり、コストメリットを出すことができる。
【００４７】
なお、発振回路１としては、自励式回路（例えばロイヤー回路）や他励式回路（例えばハーフブリッジ回路）を用いることができる。また、その他ランプや点灯効率によりパルス回路等も考えられる。また、制御回路２としては、異常波形（例えば正弦波やパルス電圧）を検出した時、その検出電圧をトリガーして、発振回路１を止めたり、間欠発振させて、異常を抑制して保護動作する回路である。例えば、昇圧トランスＴ１の検出電圧をコンパレータ等で比較して、異常電圧である場合に発振回路１の電圧をシャットアウトして、発振を停止させる回路がある。
【実施例２】
【００４８】
本発明の他の実施例として、昇圧トランスＴ１の二次巻線の分割は２分割でなくてもよい。たとえば、昇圧トランスＴ１の昇圧比やそのトランスピン数の兼ね合いで３分割、４分割にすることもできる。これら分割巻線のうちから、必要な高圧出力と、異常検出レベルとして最適なレベルの低圧出力を得る巻線を用いればよい。
【図面の簡単な説明】
【００４９】
【図１】本発明の第１の実施形態の高圧トランスを含む放電灯点灯回路を説明するブロック図である。
【図２】図１の高圧トランス部分の配線図である。
【図３】従来例の放電灯点灯回路を説明するブロック図である。
【図４】従来例の他の放電灯点灯回路を説明するブロック図である。
【図５】他の従来例の高圧トランス、放電灯点灯回路を説明するブロック図である。
【符号の説明】
【００５０】
１    発振回路
２    制御回路
３    入力コネクタ
４    出力コネクタ
１１    整流回路
１２    直流電源回路
１３    インバータ回路
１４    インバータ制御回路
１５    負荷回路
１６    異常検出回路
Ｃ１，Ｃ２，Ｃ１１，Ｃ１２    コンデンサ
Ｌ１    インダクタンス
Ｒ１，Ｒ２    抵抗
Ｔ１，Ｔ１ａ，Ｔ２    昇圧トランス
Ｚ１，Ｚ２    放電灯
【図１】
2007141752.tif 000003
【図２】
2007141752.tif 000004
【図３】
2007141752.tif 000005
【図４】
2007141752.tif 000006
【図５】
2007141752.tif 000007